(57)【特許請求の範囲】
【請求項１】
２部材間の環状隙間を密封する密封装置であって、
２部材のうち一方の部材に摺動接触するシールリップ部と、
該シールリップ部を支持し、他方の部材に固定される嵌め合い部と、を備えた密封装置において、
それぞれ同じ構成である複数の密封装置を軸方向に同じ向きに並べ、かつそれぞれを嵌合した状態で接続可能にせしめるべく、
自己の密封装置とは別の密封装置の前記嵌め合い部の一端部に重ね合わされる重ね合わせ部を備え、
前記重ね合わせ部は、ゴム状弾性体のみから構成される凸部の端面の部分であり、
かつ、前記嵌め合い部には金属環が設けられており、前記ゴム状弾性体のみからなる凸部は、この金属環が設けられている領域部分の内径側に嵌合されることを特徴とする密封装置。
【発明の詳細な説明】
【０００１】
【発明の属する技術分野】
本発明は、例えば油等を密封するために用いられるオイルシールタイプの密封装置に関するものである。
【０００２】
【従来の技術】
従来からオイルシールタイプの密封装置が知られている。
【０００３】
このような密封装置は、軸に摺動自在に密接するシールリップ部と、このシールリップ部を支持してハウジングに固定される嵌め合い部と、から構成されるものである。
【０００４】
密封装置は、図５に示すように、密封装置１０１を耐久寿命の向上する場合には２個以上並べて使用されることがあった。
【０００５】
【発明が解決しようとする課題】
しかしながら、図５に示すような密封装置１０１を２個並べて使用している個所では、客先で２回の密封装置の圧入が必要となってしまうと共に、圧入装着後に密封装置１０１間にグリースを封入しなければならず、作業工程が多く作業性が悪いものであった。
【０００６】
このような問題を解消するために、図６に示すように、組込部材２０２に密封装置２０１が既に２個装着された組立式の一体型装置を使用し、密封装置の圧入の手間を省く場合もあったが、図６に示すような一体型装置では型・部品点数が増えるために製品コストが増加するという課題が生じてしまった。
【０００７】
本発明は、上記した従来技術の課題を解決するものであり、その目的とするところは、簡単な構成で作業性に優れた密封装置を提供することにある。
【０００８】
【課題を解決するための手段】
上記目的を達成するために本発明にあっては、２部材間の環状隙間を密封する密封装置であって、２部材のうち一方の部材に摺動接触するシールリップ部と、該シールリップ部を支持し、他方の部材に固定される嵌め合い部と、を備えた密封装置において、それぞれ同じ構成である複数の密封装置を軸方向に同じ向きに並べ、かつそれぞれを嵌合した状態で接続可能にせしめるべく、自己の密封装置とは別の密封装置の前記嵌め合い部の一端部に重ね合わされる重ね合わせ部を備え、前記重ね合わせ部は、ゴム状弾性体のみから構成される凸部の端面の部分であり、かつ、前記嵌め合い部には金属環が設けられており、前記ゴム状弾性体のみからなる凸部は、この金属環が設けられている領域部分の内径側に嵌合されることを特徴とする。
【０００９】
したがって、複数の密封装置を軸方向に並べて接続することができるので、装置の圧入も密封装置の接続後に１回で行うことができ、作業工程が少なく作業性が向上する。
【００１０】
また、同じ構成の密封装置だけで接続が可能であるので、装置の型・部品点数が増加することもなく、製品コストの増加を押えることができる。
【００１１】
さらに、密封装置が小径の場合でも、密封装置の断面を大きく確保することができ、設計の自由度が大きくなると共に、シールリップ部の弾性を十分に確保することができる。
【００１４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１５】
（第１の実施の形態）
図１、図２を用いて第１の実施の形態を説明する。図１は第１の実施の形態に係る密封装置を示す半断面図である。図２は第１の実施の形態に係る密封装置を並べて接続した状態を示す半断面図である。
【００１６】
まず、図１を用いて密封装置１の構成について説明する。密封装置１は、オイルシールタイプであり、２部材としての軸とハウジング間の環状隙間を密封するものである。
【００１７】
密封装置１は、軸に摺動接触するシールリップ部２と、シールリップ部２を支持しハウジングに固定される嵌め合い部３と、を備える。
【００１８】
シールリップ部２は、断面楔状であり、ゴム状弾性体からなる。
【００１９】
シールリップ部２の背面には、シールリップ部２を軸に向けて押圧するガータスプリング４が配置されている。
【００２０】
嵌め合い部３は、金属環５と金属環５に焼き付けられたゴム状弾性体とからなる。嵌め合い部３は、ハウジングに固定される軸方向に延びる軸方向部３ａと、軸方向部３ａの一端から軸側へ延びシールリップ部２が接続される径方向部３ｂと、を有する。このため、金属環５も軸方向と径方向とに延びる断面Ｌ字状をなして、嵌め合い部３の軸方向部３ａと径方向部３ｂとに内在している。
【００２１】
そして、本実施の形態の密封装置１には、嵌め合い部３の径方向部３ｂの途中で軸方向部３ａが延びる方向と反対方向に突出する環状の凸部６が設けられている。
【００２２】
凸部６は、ゴム状弾性体からなる。この凸部６は、ハウジング側端面の径を嵌め合い部３の軸方向部３ａの軸側周面の径と略同径としている。このため、凸部６のハウジング側端面と軸方向部３ａの軸側周面との両面は、軸方向略同一直線Ａ上に存在する。
【００２３】
すなわち、凸部６のハウジング側端面が、別の密封装置１の嵌め合い部３の軸方向部３ａの端部と重ね合わされる重ね合わせ部となっている。
【００２４】
なお、凸部６のハウジング側端面の径と嵌め合い部３の軸方向部３ａの軸側周面の径との関係は、上記のように略同径としてもよいし、また重ね合わせた際に簡単に外れないように適度の嵌合代を有することでもよい。
【００２５】
以上の構成の密封装置１は、耐久寿命の向上する場合等には２個以上軸方向に並べて使用される。この際、図２に示すように、嵌め合い部３の軸方向部３ａの軸側に凸部６が挿入されて重ね合わされて２個の密封装置１が軸方向に並べて接続される。なお、この密封装置１を２個以上接続することも可能である。
【００２６】
この密封装置１では、凸部６の内周には金属環５が延出しておらず、ゴム状弾性体のみで構成しているため、凸部６は嵌め合い部３の軸方向部３ａの内径に挿入して接続した際の嵌合力を低くできる。このため、２個の密封装置１を接続する際に必要な挿入押圧力も少なくて済み、手作業でも接続可能である。また、接続の自動化においても効率化が可能である。
【００２７】
なお、凸部６が挿入される嵌め合い部３の軸方向部３ａには金属環５が内在する構成として、軸方向部３ａがハウジングに対して固定される嵌合力を発揮し、軸方向部３ａの外周寸法が変わらないようにしてハウジングへの固定性を向上させている。
【００２８】
したがって、密封装置１を軸方向に並べて接続することができるので、装置の圧入も密封装置１の接続後に１回で行うことができ、作業工程が少なく作業性が向上する。
【００２９】
また、同形状の密封装置１だけで接続が可能であるので、装置の型・部品点数が増加することもなく、製品コストの増加を押えることができる。
【００３０】
さらに、密封装置１が小径の場合でも、密封装置１の断面を大きく確保することができ、設計の自由度が大きくなると共に、シールリップ部２の弾性を十分に確保することができる。
【００３１】
（第２の実施の形態）
図３は第２の実施の形態に係る密封装置を並べて接続した状態を示す半断面図である。
【００３２】
本実施の形態では、第１の実施の形態とは反対方向に嵌め合い部３の軸方向部３ａが延びており、それに応じて凸部６も逆側に配置されたものである。
【００３３】
このような構成であっても、第１の実施の形態と同様な効果を得ることができる。
【００３４】
（第３の実施の形態）
図４は第３の実施の形態に係る密封装置を並べて接続した状態を示す半断面図である。
【００３５】
本実施の形態では、金属環５を折り曲げて、金属環５が凸部６に内在するようにした構成である。
【００３６】
このため、嵌め合い部３は、第１、第２の実施の形態に示したような径方向部はなく、ハウジングに固定される軸方向部３ａと、金属環５が折り曲げられたことにより背面が凹んだ凸部６と、から構成される。
【００３７】
この密封装置では、凸部６に金属環５が内在しているため、嵌合代を無くすか、又は嵌合代を嵌合力がわずかに持たせる程度とすることが望ましい。
【００３８】
このような構成であっても、第１の実施の形態と同様な効果を得ることができる。
【００３９】
【発明の効果】
以上説明したように本発明では、複数の密封装置を軸方向に並べて接続することができるので、装置の圧入も密封装置の接続後に１回で行うことができ、作業工程が少なく作業性が向上する。
【００４０】
また、同じ構成の密封装置だけで接続が可能であるので、装置の型・部品点数が増加することもなく、製品コストの増加を押えることができる。
【００４１】
さらに、密封装置が小径の場合でも、密封装置の断面を大きく確保することができ、設計の自由度が大きくなると共に、シールリップ部の弾性を十分に確保することができる。
【図面の簡単な説明】
【図１】第１の実施の形態に係る密封装置を示す半断面図である。
【図２】第１の実施の形態に係る密封装置を並べて接続した状態を示す半断面図である。
【図３】第２の実施の形態に係る密封装置を並べて接続した状態を示す半断面図である。
【図４】第３の実施の形態に係る密封装置を並べて接続した状態を示す半断面図である。
【図５】従来技術の密封装置を並べた状態を示す半断面図である。
【図６】従来技術の密封装置を並べた組立式の一体型装置を示す半断面図である。
【符号の説明】
１  密封装置
２  シールリップ部
３  嵌め合い部
３ａ  軸方向部
３ｂ  径方向部
４  ガータスプリング
５  金属環
６  凸部
【図１】
0003960041.tif 000002
【図２】
0003960041.tif 000003
【図３】
0003960041.tif 000004
【図４】
0003960041.tif 000005
【図５】
0003960041.tif 000006
【図６】
0003960041.tif 000007